(57)【特許請求の範囲】
【請求項１】
胴部２上端から口頸部３を起立する容器体１と、上記口頸部３外面へ、横壁１５周縁から垂設する取付け筒部１６を嵌合させ、かつ該取付け筒部上端から弾性ドーム状壁２２を介して吐出筒２３を起立し、また、上記横壁１５中央部に吸込み弁を、かつ吐出筒２３内に吐出弁を、それぞれ形成したポンプと、上記取付け筒部１６の上部外面に、頂壁３０から垂設した周壁下部を嵌着させると共に、上記頂壁３０中央部から垂設した連結筒部３４内へ上記吐出筒２３上部を水密にかつ該吐出筒の上下摺動が可能に嵌合させ、更に、上記連結筒部３４上端が囲む頂壁部分に吐出孔３６を、かつ上記周壁の後部上方に縦長孔３２を、それぞれ穿設したキャップ状部材２９と、上記縦長孔３２の下端部へ屈曲部を枢着させたＬ字状のレバー３８とを有し、該レバーの脚棒部３９は二叉として両脚棒部前端部を吐出筒２３下端左右両側の弾性ドーム状壁部分上面へ載置させると共に、該レバーの腕部４０はキャップ状部材２９の周壁上外方へ、内方押込み可能に起立し、該内方押込みによる上記枢着部を中心とするレバー３８の回動で、脚棒部３９が弾性ドーム状壁２２を押下げ可能に形成し、また容器体内へは、上記吸込み弁への容器体内液体の移送手段を設けたことを特徴とする液体吐出容器。
【請求項２】
吐出弁を、吐出筒２３の上部内面に付設した内向きフランジ状の弁座２４と、該弁座上面へ載置させた玉弁２５とで形成し、かつ連結筒部３４上端が囲む頂壁部分の中央部から垂下する棒部３５下端と弁座２４とによって玉弁２５を挟持させ、また、連結筒部３４上端と棒部３５上端との間の頂壁部分に吐出孔３６を穿設した請求項１記載の液体吐出容器。
【発明の詳細な説明】
【０００１】
【発明の属する技術分野】
本発明は、ポンプ式の液体吐出容器に係る。
【０００２】
【従来の技術】
【発明が解決しようとする課題】
例えば、実公平７−４６３６１号公報が示すようなヘッド押下げ式のポンプ式液体吐出容器が周知であり、該容器は、ステム下端に筒状ピストンを付設し、かつステム上端に押下げヘッドを嵌着させた作動部材を、容器体内へ垂下させたシリンダ内から上方付勢させて起立し、その押下げヘッドから横向きに突出させたノズルから収納液体を吐出させるよう形成している。
【０００３】
しかし、上記従来例では、天井のように塗布面が下向きの水平壁面である場合、横向きのノズルから収納液体を吹き付けることが容易でなく、また、上記従来容器は、ノズルが横向きであることを前提としてポンプ操作をするよう形成しているので、押下げヘッドからノズルを上方突出させると、ポンプ操作が行い難くなる不都合がある。
【０００４】
請求項１記載の容器は、天井のような下向き水平壁面へ容易に収納液体を吹き付けるよう設けた。
【０００５】
請求項２記載の容器は、上記請求項１記載の容器が有する解決課題の他に、容器の胴部を誤って弾性圧搾させ、或いは容器を倒すこと等によって、ノズルから収納液体が漏出することを確実に防止できるよう設けた。
【０００６】
【課題を解決するための手段】
第１の手段として、胴部２上端から口頸部３を起立する容器体１と、上記口頸部３外面へ、横壁１５周縁から垂設する取付け筒部１６を嵌合させ、かつ該取付け筒部上端から弾性ドーム状壁２２を介して吐出筒２３を起立し、また、上記横壁１５中央部に吸込み弁を、かつ吐出筒２３内に吐出弁を、それぞれ形成したポンプと、上記取付け筒部１６の上部外面に、頂壁３０から垂設した周壁下部を嵌着させると共に、上記頂壁３０中央部から垂設した連結筒部３４内へ上記吐出筒２３上部を水密にかつ該吐出筒の上下摺動が可能に嵌合させ、更に、上記連結筒部３４上端が囲む頂壁部分に吐出孔３６を、かつ上記周壁の後部上方に縦長孔３２を、それぞれ穿設したキャップ状部材２９と、上記縦長孔３２の下端部へ屈曲部を枢着させたＬ字状のレバー３８とを有し、該レバーの脚棒部３９は二叉として両脚棒部前端部を吐出筒２３下端左右両側の弾性ドーム状壁部分上面へ載置させると共に、該レバーの腕部４０はキャップ状部材２９の周壁上外方へ、内方押込み可能に起立し、該内方押込みによる上記枢着部を中心とするレバー３８の回動で、脚棒部３９が弾性ドーム状壁２２を押下げ可能に形成し、また容器体内へは、上記吸込み弁への容器体内液体の移送手段を設けた。
【０００７】
第２の手段として、上記構成とした液体吐出容器において、吐出弁を、吐出筒２３の上部内面に付設した内向きフランジ状の弁座２４と、該弁座上面へ載置させた玉弁２５とで形成し、かつ連結筒部３４上端が囲む頂壁部分の中央部から垂下する棒部３５下端と弁座２４とによって玉弁２５を挟持させ、また、連結筒部３４上端と棒部３５上端との間の頂壁部分に吐出孔３６を穿設した。
【０００８】
【発明の実施の形態】
第１実施形態（図１〜図３）
１は容器体であり、該容器体は、下端面開口の胴部２上端から肩部を介して口頸部３を起立し、該口頸部外面に係合突条４を周設している。上記胴部２の下部内面には、容器体内負圧化によって胴部２内を上昇可能に摺動蓋５を嵌合させ、かつ胴部２の下端部に、フランジ状の底板６を有する底蓋７を、凹凸の係合手段８によって抜け出し不能に嵌合させ、その底板６上面に複数のリブ９を放射状に付設している。当該底蓋７は、胴部２下端面を閉塞して容器の外観が損なわれないよう設けたものであり、かつ上記摺動蓋５が上昇して該摺動蓋下方の胴部部分内が負圧化することを、底板６のフランジ孔１０からの外気流入により解消するよう形成し、また、その底板６を中心に下降するテ−パ状に形成して、浴場等の使用する際、フランジ孔１０から胴部２内へ流入した液体を円滑に流出させることができるよう設けている。更に、上記肩部には適当数の溝部１１，  １１を穿設して、口頸部３と後述筒状部材２０の取付け筒部１６との間に入った液体を円滑に流出できるよう形成している。
【０００９】
上記容器体口頸部３にはポンプが装着させてあり、該ポンプは、筒状部材１４、弾性部材２０、吸込み弁体２８および玉弁２５によって形成されている。筒状部材１４は、横壁１５周縁から上部大外径の取付け筒部１６を垂設して、該取付け筒部内面を上記容器体１の口頸部３外面に嵌合させ、かつ、その取付け筒部１６の下部内面に周設した係合突起を上記係合突条４下面へ係止させている。また、上記横壁１５中央部には凹部１７を形成して、該凹部の底壁中央部に吸込み孔１８を穿設し、更に、横壁１５外周部に上面開口の凹溝１９を周設している。
【００１０】
弾性部材２０は、上記凹溝１９内へ嵌合させた基筒部２１上端から弾性ドーム状壁２２を介して吐出筒２３を起立し、該吐出筒下端直ぐ外方の弾性ドーム状壁部分を厚肉としている。また、上記吐出筒２３の上部内面にはフランジ状の弁座２４を付設し、かつ該弁座上面に玉弁２５を載置させて吐出弁を形成し、更に、上記基筒部２１上端に外向きフランジ状壁２６を付設している。
【００１１】
吸込み弁体２８は、短筒部下端に舌状の弁板を付設し、短筒部を上記凹部１７の側壁内面へ嵌着させ、かつ弁板を上記凹部１７の底壁へ着座させて吸込み弁を形成している。
【００１２】
２９はキャップ状部材であり、該キャップ状部材は、頂壁３０から周壁を内外二重筒状に垂設し、かつ内周壁３１ａ下部を大内径として、該大内径部３１ｂを上記取付け筒部１６の上部外面に嵌合させ、また、大内径部の内面下端に周設した突部を、上記取付け筒部１６の中間部に形成した下向き段部下面に係止させ、更に、大内径部３１ｂ上端の下向き段部と上記取付け筒部１６上端とで上記弾性部材２０の外向きフランジ状壁２６を挟持させている。更に、上記内外周壁３１ａ，  ３１ｃの後部上方には縦長孔３２を穿設し、該縦長孔の左右両側縁から側壁３３を前方突設している。また更に、上記頂壁３０中央部から垂設した連結筒部３４内へは上記吐出筒２３上部を水密にかつ該吐出筒の上下摺動が可能に嵌合させ、また更に、上記連結筒部３４上端が囲む頂壁部分の中央部から垂設した棒部３５下端と既述弁座２４とによって上記玉弁２５を挟持させ、かつ、その棒部３５上端と上記連結筒部３４上端との間の頂壁部分に複数の吐出孔３６を穿設している。
【００１３】
３８はレバーであり、該レバーは、Ｌ字状であって屈曲部を上記キャップ状部材２９の左右両側壁３３下端にピン軸で枢着させ、かつ二叉とした両脚棒部３９前端部下面に設けた円弧状部を、上記吐出筒２３下端左右両側の弾性ドーム状壁部分の厚肉部上面へ載置させ、また、腕部４０を上記キャップ状部材２９の外周壁３１ｃ上外方へ内方押込み可能に起立し、該内方押込みによる上記軸部を中心とする当該レバーの回動で、両脚棒部３９が上記弾性ドーム状壁２２を押下げ可能に形成している。
【００１４】
４１はキャップであり、頂壁周縁から垂設する周壁を上記キャップ状部材２９の外周壁３１ｃ外面へ嵌合させている。
【００１５】
収納液体の吐出は以下のように行われ、図１が示す状態から、上記ピン軸を中心にレバー３８を回動させると、図２が示すように、弾性ドーム状壁２２が両脚棒部３９前端部によって押下げられて弾性圧搾され、かつ吐出筒２３が連結筒部３４に対して下降するため、弾性ドーム状壁２２内の液体が加圧されて吐出弁が開弁し、加圧液体が吐出筒２３を通って吐出孔３６から吐出される。また、該状態からレバー３８を解放すると、弾性ドーム状壁２２が弾性復元して胴部２内の収納液体が吸上げられると共に、吐出筒２３が上昇して玉弁２５上面へ棒部３５下端が圧接し、かつレバー３９が原位置に戻る。
【００１６】
第２実施形態（図５）
第２実施形態は、吸込み弁への容器体内液体の移送手段として吸上げパイプ４３を用いた点が第１実施形態と相違し、以下第１実施形態と相違する点についてのみ説明すると、筒状部材１４の横壁１５下面中央部からは、吸込み孔１８を介して弾性ドーム状壁２２内と連通するパイプ嵌合筒４２を垂設し、該パイプ嵌合筒内面へ、下端を容器体１底部へ垂下させた吸上げパイプ４３上部を嵌着させている。また、容器体１口頸部には外気吸入孔４４を穿設し、かつ容器体１の口頸部３上部内面に弾性筒状弁４５を嵌合させて、収納液体を吐出させることによる容器体内の負圧化を上記吸入孔４４からの外気吸入で解消するよう形成し、更に、上記弾性筒状弁４５上端に付設したパッキングを兼用する外向きフランジを、容器体の口頸部３上端と筒状部材１４の横壁１５の下面外周部とで挟持させている。
【００１７】
上記各実施形態では、各部材を合成樹脂材で成形し、弾性部材２０は合成ゴム等の軟質材で形成する。
【００１８】
【発明の効果】
本発明は上記構成とするものであり、請求項１の発明は、筒状部材１４の取付け筒部１６上端から弾性ドーム状壁２２を介して吐出筒２３を起立すると共に、横壁１５中央部に吸込み弁を、かつ吐出筒２３内に吐出弁を、それぞれ形成したポンプを設け、また、キャップ状部材２９の頂壁３０中央部から垂設した連結筒部３４内へ吐出筒２３上部を水密にかつ該吐出筒の上下摺動が可能に嵌合させ、更に、キャップ状部材２９周壁の後部上方に穿設した縦長孔３２下端部へＬ字状レバー３８の屈曲部を枢着させ、該枢着部を中心とするレバー３８の回動で、該レバーの脚棒部３９が弾性ドーム状壁２２を押下げ可能に形成したから、枢着部を中心にレバー３８を回動させることで、梃子の原理で弾性ドーム状壁２２を容易に弾性圧搾させることができ、よって、キャップ状部材２９の頂壁３０に開口させた吐出孔３６から収納液体を容易に吐出させることができ、天井等の下向きの水平壁面へ円滑に液状洗剤等を吹き付けできる。
【００１９】
請求項２の発明は、請求項１の効果を有し、かつ吐出弁を、吐出筒２３の上部内面に付設した内向きフランジ状の弁座２４と、該弁座上面へ載置させた玉弁２５とで形成し、かつ連結筒部３４上端が囲む頂壁部分の中央部から垂下する棒部３５下端と弁座２４とによって玉弁２５を挟持させたから、容器体胴部２が誤って弾性圧搾され、或いは容器を倒すことにより、吐出弁が開弁することがなく、閉弁状態を確実に保持することができ、よって、収納液体が漏出することを確実に防止できる。
【図面の簡単な説明】
【図１】本発明容器の第１実施形態の縦断面図である。
【図２】同実施形態を、レバーを回動させた状態で示す縦断面図である。
【図３】同実施形態の平面図である。
【図４】同実施形態の部分背面図である。
【図５】本発明容器の第２実施形態の縦断面図である。
【符号の説明】
１４…筒状部材  ２０…弾性部材
２９…キャップ状部材  ３８…レバー
【図１】
0003561072.tif 000002
【図２】
0003561072.tif 000003
【図３】
0003561072.tif 000004
【図４】
0003561072.tif 000005
【図５】
0003561072.tif 000006